(57)【要約】  基地局からの信号をその上で測定すべきリソースを判断することを含む方法および装置が提供される。示されたリソース上で信号を測定するためのデバイスに、リソース制限パターンに関係する１つまたは複数のパラメータが与えられ得る。リソース制限パターンは、信号が基地局によって送信され得る時間期間に各ビットが関係するビットマップに対応することができ、そのビットは、そのリソース上で受信された信号が測定されるべきかどうかを指定することができる。リソース制限パターンは、リソース区分方式を使用してネゴシエートされた保護リソースのセットに対応することができる。
2013545399.tif 000002
【特許請求の範囲】
【請求項１】
リソースのセット上で基地局からの信号を受信することと、
リソースの前記セットからのリソースの第１の部分上で前記基地局からの信号を測定するための制限付きリソースパターン（ＲＲＰ）に関係する１つまたは複数のパラメータを受信することと、
１つまたは複数の信号測定値を判断するために、前記１つまたは複数のパラメータに基づいてリソースの前記第１の部分上で信号を測定することと、
前記１つまたは複数の信号測定値に基づいて１つまたは複数の物理レイヤプロシージャを実行することと
を備える、ワイヤレス通信のための方法。
【請求項２】
前記１つまたは複数のパラメータがＲＲＰビットマップを備え、前記ＲＲＰビットマップがリソースの前記セット上で測定割当てを示す、請求項１に記載の方法。
【請求項３】
前記ＲＲＰビットマップが、通信リソースを他の基地局とネゴシエートするために前記基地局によって使用されるリソース区分方式に対応する、請求項２に記載の方法。
【請求項４】
前記信号を測定することが、前記ＲＲＰビットマップによって示されるリソースの前記第１の部分のサブセット上で信号を測定することを備える、請求項２に記載の方法。
【請求項５】
１つまたは複数の追加の信号測定値を判断するために、リソースの前記セットからのリソースの第２の部分上で信号を測定することをさらに備え、リソースの前記第２の部分が、前記ＲＲＰビットマップによって測定のために指定されていないリソースを含む、請求項４に記載の方法。
【請求項６】
リソースの前記第１の部分の少なくとも一部に対してリソースの前記第２の部分をグループ化する再送信方式に部分的に基づいて、リソースの前記第２の部分を選択することをさらに備える、請求項５に記載の方法。
【請求項７】
前記ＲＲＰビットマップによって測定のために指定されていない前記リソースについて、リソースの前記セット上で、干渉レベルを検出することと、
前記ＲＲＰビットマップによって測定のために指定されていない前記リソース上の前記干渉レベルに基づいて、リソースの前記第２の部分を選択することと
をさらに備える、請求項５に記載の方法。
【請求項８】
クロスサブフレーム・スケジューリング割当てを検出すること、
前記クロスサブフレーム・スケジューリング割当てに基づいて、リソースの前記第２の部分を選択することと
をさらに備える、請求項５に記載の方法。
【請求項９】
リソースの前記第２の部分の少なくとも一部上での測定値を示すために前記ＲＲＰビットマップを変更することをさらに備える、請求項５に記載の方法。
【請求項１０】
前記１つまたは複数の物理レイヤプロシージャを実行することが、前記１つまたは複数の追加の信号測定値にさらに部分的に基づく、請求項５に記載の方法。
【請求項１１】
前記基地局から第２のリソースビットマップを受信することをさらに備え、前記第２のリソースビットマップが、リソースの前記セットからのリソースの異なる部分を示す、請求項２に記載の方法。
【請求項１２】
前記第２のリソースビットマップが、１つまたは複数の他の基地局によって利用されるリソースの前記異なる部分を示す干渉ビットマップである、請求項１１に記載の方法。
【請求項１３】
前記干渉ビットマップと前記ＲＲＰビットマップとに基づいてリソースの相補セットを判断することをさらに備える、請求項１２に記載の方法。
【請求項１４】
リソースの前記相補セット上で前記基地局から受信した信号を測定することと、
しきい値干渉を満たすリソースの前記相補セットの少なくとも一部分を判断することと
をさらに備える、請求項１３に記載の方法。
【請求項１５】
リソースの前記相補セットの少なくとも前記一部分上で測定することを示すために前記ＲＲＰビットマップを変更することをさらに備える、請求項１４に記載の方法。
【請求項１６】
前記１つまたは複数の物理レイヤプロシージャを実行することが、リソースの前記相補セットの少なくとも前記一部分にさらに部分的に基づく、請求項１４に記載の方法。
【請求項１７】
１つまたは複数の被干渉信号測定値を判断するためにリソースの前記異なる部分上で信号を測定することと、
前記１つまたは複数の被干渉信号測定値に基づいて１つまたは複数の追加の物理レイヤプロシージャを実行することと
をさらに備える、請求項１２に記載の方法。
【請求項１８】
ＲＲＰに関係する前記１つまたは複数のパラメータを受信することが、１つまたは複数のデューティサイクルパラメータを受信または生成することを備える、請求項１に記載の方法。
【請求項１９】
前記１つまたは複数のデューティサイクルパラメータが、デューティサイクルの長さを指定するパラメータ、前記デューティサイクルのオフセットを指定するパラメータ、または前記デューティサイクルにおいて測定すべきサブフレームの最大数を指定するパラメータを備える、請求項１８に記載の方法。
【請求項２０】
前記１つまたは複数のパラメータが、再送信時間期間および／または通信フレーム時間期間に基づく前記ＲＲＰの長さに関係する、請求項１に記載の方法。
【請求項２１】
前記１つまたは複数の物理レイヤプロシージャを実行することが、無線リンク障害を検出することを試みること、チャネル状態情報を報告すること、または前記１つまたは複数の信号測定値に基づいて測定報告を生成することのうちの少なくとも１つを備える、請求項１に記載の方法。
【請求項２２】
リソースのセット上で基地局からの信号を受信するための手段と、
リソースの前記セットにわたるリソースの第１の部分上で前記基地局からの信号を測定するための制限付きリソースパターン（ＲＲＰ）に関係する１つまたは複数のパラメータを受信するための手段と、
１つまたは複数の信号測定値を判断するために、前記１つまたは複数のパラメータに基づいてリソースの前記第１の部分上で信号を測定するための手段と、
前記１つまたは複数の信号測定値に基づいて１つまたは複数の物理レイヤプロシージャを実行するための手段と
を備える、ワイヤレス通信のための装置。
【請求項２３】
前記１つまたは複数のパラメータがＲＲＰビットマップを備え、前記ＲＲＰビットマップがリソースの前記セット上で測定割当てを示す、請求項２２に記載の装置。
【請求項２４】
前記ＲＲＰビットマップが、前記基地局によって使用されるリソース区分方式に対応する、請求項２３に記載の装置。
【請求項２５】
リソースのセット上で基地局からの信号を受信することと、
リソースの前記セットからのリソースの第１の部分上で前記基地局からの信号を測定するための制限付きリソースパターン（ＲＲＰ）に関係する１つまたは複数のパラメータを受信することと、
１つまたは複数の信号測定値を判断するために、前記１つまたは複数のパラメータに基づいてリソースの前記第１の部分上で信号を測定することと、
前記１つまたは複数の信号測定値に基づいて１つまたは複数の物理レイヤプロシージャを実行することと
を行うように構成された少なくとも１つのプロセッサと、
前記少なくとも１つのプロセッサに結合されたメモリと
を備える、ワイヤレス通信のための装置。
【請求項２６】
前記１つまたは複数のパラメータがＲＲＰビットマップを備え、前記ＲＲＰビットマップがリソースの前記セット上で測定割当てを示す、請求項２５に記載の装置。
【請求項２７】
前記ＲＲＰビットマップが、前記基地局によって使用されるリソース区分方式に対応する、請求項２６に記載の装置。
【請求項２８】
前記少なくとも１つのプロセッサが、前記ＲＲＰビットマップによって示されるリソースの前記第１の部分のサブセット上で信号を測定する、請求項２６に記載の装置。
【請求項２９】
前記少なくとも１つのプロセッサが、１つまたは複数の追加の信号測定値を判断するために、リソースの前記セットからのリソースの第２の部分上で信号を測定するようにさらに構成され、リソースの前記第２の部分が、前記ＲＲＰビットマップによって測定のために指定されていないリソースを含む、請求項２８の装置。
【請求項３０】
前記少なくとも１つのプロセッサが、リソースの前記第１の部分の少なくとも一部分を用いてリソースの前記第２の部分をグルーピングする再送信方式に部分的に基づいて、リソースの前記第２の部分を選択するようにさらに構成された、請求項２９に記載の装置。
【請求項３１】
前記少なくとも１つのプロセッサが、前記ＲＲＰビットマップによって測定のために指定されていない前記リソースについて、前記リソースのセット上で干渉レベルを検出することと、前記ＲＲＰビットマップによって測定のために指定されていない前記リソース上の前記干渉レベルに基づいて、リソースの前記第２の部分を選択することとを行うようにさらに構成された、請求項２９に記載の装置。
【請求項３２】
前記少なくとも１つのプロセッサが、クロスサブフレーム・スケジューリング割当てを検出することと、前記クロスサブフレーム・スケジューリング割当てに基づいてリソースの前記第２の部分を選択することとを行うようにさらに構成された、請求項２９に記載の装置。
【請求項３３】
前記少なくとも１つのプロセッサが、リソースの前記第２の部分の少なくとも一部分上での測定値を示すために前記ＲＲＰビットマップを変更するようにさらに構成された、請求項２９に記載の装置。
【請求項３４】
前記少なくとも１つのプロセッサが、前記１つまたは複数の追加の信号測定値にさらに部分的に基づいて、前記１つまたは複数の物理レイヤプロシージャを実行する、請求項２９に記載の装置。
【請求項３５】
前記少なくとも１つのプロセッサが、前記基地局から第２のリソースビットマップを受信するようにさらに構成され、前記第２のリソースビットマップが、リソースの前記セットからのリソースの異なる部分を示す、請求項２６に記載の装置。
【請求項３６】
前記第２のリソースビットマップが、１つまたは複数の他の基地局によって利用されるリソースの前記異なる部分を示す干渉ビットマップである、請求項３５に記載の装置。
【請求項３７】
少なくとも１つのプロセッサが、前記干渉ビットマップと前記ＲＲＰビットマップとに基づいてリソースの相補セットを判断するようにさらに構成された、請求項３６に記載の装置。
【請求項３８】
前記少なくとも１つのプロセッサが、
リソースの前記相補セット上で前記基地局から受信した信号を測定することと、
しきい値干渉を満たすリソースの前記相補セットの少なくとも一部分を判断することと
を行うようにさらに構成された、請求項３７に記載の装置。
【請求項３９】
前記少なくとも１つのプロセッサが、リソースの前記相補セットの少なくとも前記一部分上で測定することを示すために前記ＲＲＰビットマップを変更するようにさらに構成された、請求項３８に記載の装置。
【請求項４０】
前記少なくとも１つのプロセッサが、リソースの前記相補セットの少なくとも前記一部分にさらに部分的に基づいて、前記１つまたは複数の物理レイヤプロシージャを実行する、請求項３８に記載の装置。
【請求項４１】
前記少なくとも１つのプロセッサが、
１つまたは複数の被干渉信号測定値を判断するためにリソースの前記異なる部分上で信号を測定することと、
前記１つまたは複数の被干渉信号測定値に基づいて１つまたは複数の追加の物理レイヤプロシージャを実行することと
を行うようにさらに構成された、請求項３６に記載の装置。
【請求項４２】
前記ＲＲＰに関係する前記１つまたは複数のパラメータが、１つまたは複数のデューティサイクルパラメータを備える、請求項２５に記載の装置。
【請求項４３】
前記１つまたは複数のデューティサイクルパラメータが、デューティサイクルの長さを指定するパラメータ、前記デューティサイクルのオフセットを指定するパラメータ、または前記デューティサイクルにおいて測定すべきサブフレームの最大数を指定するパラメータを備える、請求項４２に記載の方法。
【請求項４４】
前記１つまたは複数のパラメータが、再送信時間期間および／または通信フレーム時間期間に基づく前記ＲＲＰの長さに関係する、請求項２５に記載の装置。
【請求項４５】
前記１つまたは複数の物理レイヤプロシージャが、無線リンク障害を検出することを試みること、チャネル状態情報を報告すること、または前記１つまたは複数の信号測定値に基づいて測定報告を生成することのうちの少なくとも１つを備える、請求項２５に記載の装置。
【請求項４６】
少なくとも１つのコンピュータに、リソースのセット上で基地局からの信号を受信させるためのコードと、
前記少なくとも１つのコンピュータに、リソースの前記セットからのリソースの第１の部分上で、前記基地局からの信号を測定するための制限付きリソースパターン（ＲＲＰ）に関係する１つまたは複数のパラメータを受信させるためのコードと、
前記少なくとも１つのコンピュータに、１つまたは複数の信号測定値を判断するために、前記１つまたは複数のパラメータに基づいてリソースの前記第１の部分上で信号を測定させるためのコードと、
前記少なくとも１つのコンピュータに、前記１つまたは複数の信号測定値に基づいて１つまたは複数の物理レイヤプロシージャを実行させるためのコードと
を備える、コンピュータ可読媒体
を備える、ワイヤレス通信のためのコンピュータプログラム製品。
【請求項４７】
前記１つまたは複数のパラメータがＲＲＰビットマップを備え、前記ＲＲＰビットマップがリソースの前記セット上で測定割当てを示す、請求項４６に記載のコンピュータプログラム製品。
【請求項４８】
前記ＲＲＰビットマップが、前記基地局によって使用されるリソース区分方式に対応する、請求項４７に記載のコンピュータプログラム製品。
【請求項４９】
リソースのセット上で送信された信号を測定するためのリソース制限パターン（ＲＲＰ）を判断することと、
前記ＲＲＰに対応する１つまたは複数のパラメータをデバイスに通信することと
を備える、ワイヤレス通信の方法。
【請求項５０】
リソース区分を使用して保護リソースのセットを１つまたは複数の基地局とネゴシエートすることをさらに備える、請求項４９に記載の方法。
【請求項５１】
前記ＲＲＰを判断することが、現在の時間期間に対するリソースの前記セットに関する保護リソースの前記セットを示すＲＲＰビットマップを生成することを備える、請求項５０に記載の方法。
【請求項５２】
前記リソース区分に基づいて１つまたは複数の被干渉リソースを判断することと、
前記デバイスに前記１つまたは複数の被干渉リソースを示すことと
をさらに備える、請求項５０に記載の方法。
【請求項５３】
保護リソースの前記セット上で受信された信号についての第１のチャネル状態情報と、前記１つまたは複数の被干渉リソース上で受信された信号についての第２のチャネル状態情報とを受信することをさらに備える、請求項５２に記載の方法。
【請求項５４】
前記デバイスのロケーションを判断することをさらに備え、前記ＲＲＰを判断することが、前記デバイスの前記ロケーションに部分的に基づく、請求項５０に記載の方法。
【請求項５５】
リソースのセット上で送信された信号を測定するためのリソース制限パターン（ＲＲＰ）を判断するための手段と、
前記ＲＲＰに対応する１つまたは複数のパラメータをデバイスに通信するための手段と
を備える、ワイヤレス通信のための装置。
【請求項５６】
リソース区分を使用して保護リソースのセットを１つまたは複数の基地局とネゴシエートするための手段をさらに備える、請求項５５に記載の装置。
【請求項５７】
前記判断するための手段が、部分的に、現在の時間期間に対するリソースの前記セットに関する保護リソースの前記セットを示すＲＲＰビットマップを生成することによって前記ＲＲＰを判断する、請求項５６に記載の装置。
【請求項５８】
リソースのセット上で送信された信号を測定するためのリソース制限パターン（ＲＲＰ）を判断することと、
前記ＲＲＰに対応する１つまたは複数のパラメータをデバイスに通信することと
を行うように構成された少なくとも１つのプロセッサと、
前記少なくとも１つのプロセッサに結合されたメモリと
を備える、ワイヤレス通信のための装置。
【請求項５９】
前記少なくとも１つのプロセッサが、リソース区分を使用して保護リソースのセットを１つまたは複数の基地局とネゴシエートするようにさらに構成された、請求項５８に記載の装置。
【請求項６０】
前記少なくとも１つのプロセッサが、部分的に、現在の時間期間に対するリソースの前記セットに関する保護リソースの前記セットを示すＲＲＰビットマップを生成することによって前記ＲＲＰを判断する、請求項５９に記載の装置。
【請求項６１】
前記少なくとも１つのプロセッサが、
前記リソース区分に基づいて１つまたは複数の被干渉リソースを判断することと、
前記デバイスに前記１つまたは複数の被干渉リソースを示すことと
を行うようにさらに構成された、請求項５９に記載の装置。
【請求項６２】
前記少なくとも１つのプロセッサが、保護リソースの前記セット上で受信された信号についての第１のチャネル状態情報と、前記１つまたは複数の被干渉リソース上で受信された信号についての第２のチャネル状態情報とを受信するようにさらに構成された、請求項６１に記載の装置。
【請求項６３】
前記少なくとも１つのプロセッサが、前記デバイスのロケーションを判断するようにさらに構成され、前記少なくとも１つのプロセッサが、前記デバイスの前記ロケーションに部分的に基づいて前記ＲＲＰを判断する、請求項５９に記載の装置。
【請求項６４】
少なくとも１つのコンピュータに、リソースのセット上で送信された信号を測定するためのリソース制限パターン（ＲＲＰ）を判断させるためのコードと、
少なくとも１つのコンピュータに、前記ＲＲＰに対応する１つまたは複数のパラメータをデバイスに通信させるためのコードと
を備える、コンピュータ可読媒体
を備える、ワイヤレス通信のためのコンピュータプログラム製品。
【請求項６５】
前記コンピュータ可読媒体が、前記少なくとも１つのコンピュータに、リソース区分を使用して保護リソースのセットを１つまたは複数の基地局とネゴシエートさせるためのコードをさらに備える、請求項６４に記載のコンピュータプログラム製品。
【請求項６６】
前記少なくとも１つのコンピュータに判断させるためのコードが、部分的に、現在の時間期間に対するリソースの前記セットに関する保護リソースの前記セットを示すＲＲＰビットマップを生成することによって前記ＲＲＰを判断する、請求項６５に記載のコンピュータプログラム製品。
【発明の詳細な説明】
【技術分野】
【０００１】
関連出願の相互参照
[0001]  本出願は、本出願の譲受人に譲渡され、開示の全体が参照により明確に本明細書に組み込まれる、２０１０年１１月１日に出願された「RESTRICTED MEASUREMENTS FOR PHYSICAL LAYER PROCEDURES IN A MOBILE NETWORK」と題する米国仮出願第６１／４０９，０６９号、２０１０年１１月１５日に出願された「RESTRICTED MEASUREMENTS FOR PHYSICAL LAYER PROCEDURES IN A MOBILE NETWORK」と題する米国仮出願第６１／４１３，８６１号、および２０１１年１０月１９日に出願された「METHOD AND APPARATUS FOR RESTRICTED MEASURING IN A WIRELESS NETWORK」と題する米国特許出願第１３／２７７，１７７号の利益を主張する。
【０００２】
[0002]  以下の説明は、一般にワイヤレスネットワーク通信に関し、より詳細には、リソースのセル間協調（inter-cell coordination of resources）を考慮しながら基地局からの干渉を測定することに関する。
【背景技術】
【０００３】
[0003]  ワイヤレス通信システムは、たとえば、ボイス、データなどの様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、これらのシステムは、第３世代パートナーシッププロジェクト（３ＧＰＰ）（たとえば、３ＧＰＰ  ＬＴＥ（ロングタームエボリューション）／ＬＴＥ−Ａｄｖａｎｃｅｄ）、ウルトラモバイル・ブロードバンド（ＵＭＢ）、エボリューション・データオプティマイズド（ＥＶ−ＤＯ）などの仕様に準拠することができる。
【０００４】
[0004]  一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立され得る。
【０００５】
[0005]  さらに、いくつかのワイヤレスネットワークは、デバイスが、代替ワイヤレスネットワークアクセスを受信するためにそれに接続することができる低電力基地局（たとえば、フェムトノード、ピコノード、マイクロノードなど）の展開を可能にする。たとえば、低電力基地局は、デバイスがワイヤレスネットワークへのアクセスを受信するためにそれと通信することができるアクセスリンクをも与えながら、ブロードバンドまたは他のバックホール接続（たとえば、デジタル加入者回線（ＤＳＬ）接続、Ｔ１接続、ケーブル接続など）を介してワイヤレスネットワークと通信することができる。
【０００６】
[0006]  たとえば、低電力基地局が、マクロセル基地局カバレージエリア内で展開され得、その結果、それと通信するデバイスへの干渉、それと通信するデバイスからの低電力基地局とマクロセル基地局とへの干渉など、基地局が同様のおよび／または隣接する周波数スペクトルにおいて動作する複数の干渉レベルを生じることがある。拡張セル間干渉協調（enhanced inter-cell interference coordination）（ｅＩＣＩＣ）など、リソース区分方式は、低電力基地局およびマクロセル基地局が、そのような干渉を回避するために送信（および／または受信）無線リソースをネゴシエートすることを可能にするために実装されている。これらの方式では、低電力基地局は、マクロセル基地局がデバイスをスケジュールするために使用する時間期間とは異なる時間期間にデバイス通信をスケジュールすることができる。したがって、所与の基地局についての干渉は、リソースの所与のセット上で変化することがある。
【発明の概要】
【０００７】
[0007]  以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
[0008]  １つまたは複数の態様およびその対応する開示に従って、本開示では、基地局からの信号をその上で測定すべき通信リソースの少なくとも１つのセットを判断することに関して、様々な態様について説明する。たとえば、基地局のいくつかの通信リソースは、他の基地局からの通信によって干渉され得、したがって、通信リソースの判断されたセットは、そのような干渉の対象とならないリソースの少なくとも一部分に対応することができる。基地局は、一例では、通信リソースを他の基地局とネゴシエートすることができ、ネゴシエートされたリソース上での測定を可能にするためにネゴシエートされたリソースの指示を与えることができる。別の例では、基地局は、その上での干渉レベルが不確定であるリソースの補完セット（a complementary set of resources）を測定および／または判断するためのデバイスに、リソースの被干渉セット（an interfered set of resources）の指示を与えることができる。さらに、他の例では、基地局からの信号を測定するためのデューティサイクル（a duty cycle）を定義するパラメータが、デバイスによって判断され、または場合によっては基地局によってシグナリングされ得る。
【０００９】
[0009]  一例によれば、リソースのセット上で基地局からの信号を受信することと、リソースのセットからのリソースの第１の部分上で基地局からの信号を測定するための制限付きリソースパターン（restricted resource pattern）（ＲＲＰ）に関係する１つまたは複数のパラメータを受信することとを含む、ワイヤレス通信のための方法が提供される。本方法はまた、１つまたは複数の信号測定値を判断するために１つまたは複数のパラメータに基づいてリソースの第１の部分上で信号を測定することと、１つまたは複数の信号測定値に基づいて１つまたは複数の物理レイヤプロシージャを実行することとを含む。
【００１０】
[0010]  別の態様では、ワイヤレス通信のための装置が提供される。本装置は、リソースのセット上で基地局からの信号を受信するための手段と、リソースのセットにわたるリソースの第１の部分上で基地局からの信号を測定するためのＲＲＰに関係する１つまたは複数のパラメータを受信するための手段とを含む。本装置はまた、１つまたは複数の信号測定値を判断するために１つまたは複数のパラメータに基づいてリソースの第１の部分上で信号を測定するための手段と、１つまたは複数の信号測定値に基づいて１つまたは複数の物理レイヤプロシージャを実行するための手段を含む。
【００１１】
[0011]  さらに別の態様では、リソースのセット上で基地局からの信号を受信することと、リソースのセットからのリソースの第１の部分上で基地局からの信号を測定するためのＲＲＰに関係する１つまたは複数のパラメータを受信することとを行うように構成された、少なくとも１つのプロセッサを含むワイヤレス通信のための装置が提供される。少なくとも１つのプロセッサは、１つまたは複数の信号測定値を判断するために１つまたは複数のパラメータに基づいてリソースの第１の部分上で信号を測定することと、１つまたは複数の信号測定値に基づいて１つまたは複数の物理レイヤプロシージャを実行することとを行うようにさらに構成される。本装置は、少なくとも１つのプロセッサに結合されたメモリをさらに含む。
【００１２】
[0012]  さらに、別の態様では、少なくとも１つのコンピュータに、リソースのセット上で基地局からの信号を受信させるためのコードと、少なくとも１つのコンピュータに、リソースのセットからのリソースの第１の部分上で基地局からの信号を測定するためのＲＲＰに関係する１つまたは複数のパラメータを受信させるためのコードとを有するコンピュータ可読媒体を含む、ワイヤレス通信のためのコンピュータプログラム製品が提供される。本コンピュータ可読媒体は、少なくとも１つのコンピュータに、１つまたは複数の信号測定値を判断するために１つまたは複数のパラメータに基づいてリソースの第１の部分上で信号を測定させるためのコードと、少なくとも１つのコンピュータに、１つまたは複数の信号測定値に基づいて１つまたは複数の物理レイヤプロシージャを実行させるためのコードとをさらに含む。
【００１３】
[0013]  別の例によれば、リソースのセット上で送信された信号を測定するためのＲＲＰを判断することと、ＲＲＰに対応する１つまたは複数のパラメータをデバイスに通信することとを含む、ワイヤレス通信の方法が提供される。
【００１４】
[0014]  別の態様では、ワイヤレス通信のための装置が提供される。本装置は、リソースのセット上で送信された信号を測定するためのＲＲＰを判断するための手段を含む。本装置はまた、ＲＲＰに対応する１つまたは複数のパラメータをデバイスに通信するための手段を含む。
【００１５】
[0015]  さらに別の態様では、リソースのセット上で送信された信号を測定するためのＲＲＰを判断するように構成された少なくとも１つのプロセッサを含む、ワイヤレス通信のための装置が提供される。少なくとも１つのプロセッサは、ＲＲＰに対応する１つまたは複数のパラメータをデバイスに通信するようにさらに構成される。本装置は、少なくとも１つのプロセッサに結合されたメモリをさらに含む。
【００１６】
[0016]  さらに、別の態様では、少なくとも１つのコンピュータに、リソースのセット上で送信された信号を測定するためのＲＲＰを判断させるためのコードを有するコンピュータ可読媒体を含む、ワイヤレス通信のためのコンピュータプログラム製品が提供される。本コンピュータ可読媒体は、少なくとも１つのコンピュータに、ＲＲＰに対応する１つまたは複数のパラメータをデバイスに通信させるためのコードをさらに含む。
【００１７】
[0017]  上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１８】
[0018]  添付の図面とともに以下に説明する開示する態様は、開示する態様を限定するためではなく、開示する態様を例示するために与えられ、同様の表示は同様の要素を示す。
【図面の簡単な説明】
【００１９】
【図１】基地局からの信号を測定するためのシステムの一態様のブロック図。
【図２】基地局からの信号をその上で測定すべきリソースを判断するためのシステムの一態様のブロック図。
【図３】１つまたは複数のデバイスにリソース制限パターン（ＲＲＰ：resource restriction pattern）を与えるためのシステムの一態様のブロック図。
【図４】例示的なＴＤＤサブフレーム構成のブロック図。
【図５】基地局からの信号をその上で測定すべきリソースを判断するための方法の一態様のフローチャート。
【図６】ＲＲＰを更新するための方法の一態様のフローチャート。
【図７】１つまたは複数のデバイスにＲＲＰを与えるための方法の一態様のフローチャート。
【図８】本明細書で説明する態様による、例示的なモバイルデバイスの一態様のブロック図。
【図９】本明細書で説明する態様による、例示的なシステムの一態様のブロック図。
【図１０】本明細書に記載する様々な態様による、ワイヤレス通信システムの一態様のブロック図。
【図１１】本明細書で説明する様々なシステムおよび方法と併せて採用され得るワイヤレスネットワーク環境の一態様の概略ブロック図。
【発明を実施するための形態】
【００２０】
[0030]  次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２１】
[0031]  本明細書では、リソースの判断されたセット上で基地局からの信号を測定するデバイスに関係する様々な考慮事項についてさらに説明する。一例では、リソースのセットは、１つまたは複数の他の基地局からの干渉の対象とならないリソースとして判断され得る。たとえば、そのようなリソースは、拡張セル間干渉消去（enhanced inter-cell interference cancellation）（ｅＩＣＩＣ）など、リソース区分方式を使用して基地局と１つまたは複数の他の基地局との間でネゴシエートされ得る。したがって、基地局は、ネゴシエートされたリソース上で基地局からの信号の測定を実行するためのデバイスに、ネゴシエートされたリソースの少なくとも一部分を示すことができる。この点について、信号の測定値は、１つまたは複数の他の基地局による干渉がない（free from interference）ことがある。
【００２２】
[0032]  別の例では、基地局は、１つまたは複数の他の基地局からの干渉を有することが知られているリソースの一部分（たとえば、１つまたは複数の他の基地局によってネゴシエートされたリソース）をデバイスに示すことができる。この例では、デバイスは、さらに、干渉レベルが未知であるリソースの相補部分（a complementary portion）を判断することができ、基地局からの信号を測定するためのリソースの相補部分のいずれかを利用すべきかどうかを判断することができる。さらに別の例では、デバイスが基地局からの信号をその上で測定することができるリソースを示すためのデューティサイクルパラメータ（duty cycle parameters）が、デバイスによって判断および／または場合によってはデバイスにシグナリングされ得る。いずれの場合も、デバイスによって実行される測定は、１つまたは複数の無線リンク監視（radio link monitoring）（ＲＬＭ）プロシージャ（たとえば、無線リンク障害（radio link failure）（ＲＬＦ））、１つまたは複数の無線リソース管理（radio resource management）（ＲＲＭ）機能（たとえば、再選択のための隣接セル測定）、１つまたは複数のチャネル状態情報（ＣＳＩ）フィードバック動作（たとえば、チャネル品質インジケータ（ＣＱＩ）報告）などによって使用され得る、干渉平均化（duty cycle parameters）のためであり得る。
【００２３】
[0033]  本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散型システム、および／または他のシステムを用いるインターネットなどのネットワーク中の別の構成要素と信号を介して対話する１つの構成要素からのデータなど、１つまたは複数のデータパケットを有する信号によるなどのローカルプロセスおよび／またはリモートプロセスを介して通信し得る。
【００２４】
[0034]  さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星フォン、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイスなどであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２５】
[0035]  さらに、「または」という用語は、排他的な「または」ではなく、包括的な「または」を意味するものとする。すなわち、別段に規定されていない限り、または文脈から明白でない限り、「ＸはＡまたはＢを採用する」という句は、自然な包括的置換のいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【００２６】
[0036]  本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ユニバーサル地上無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、移動通信のためのグローバルシステム（Global System for Mobile Communications）（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、ウルトラモバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（ＵＭＴＳ：Universal Mobile Telecommunication System）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２７】
[0037]  いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２８】
[0038]  図１に、基地局からの信号を測定するための例示的なシステム１００を示す。システム１００は、ワイヤレスネットワークにアクセスするために基地局１０４によって与えられるセル１０８内に、基地局１０４と通信することができるデバイス１０２を含むことができる。システム１００は、少なくとも部分的にセル１０８内に、ワイヤレスネットワークアクセスを与える基地局１０６をも含む。たとえば、デバイス１０２は、ＵＥ、モデム（または他のテザーデバイス（tethered device））、その一部分などであり得る。基地局１０４および１０６は、それぞれマクロセル基地局、フェムトノード、ピコノード、マイクロノード、または同様の基地局、モバイル基地局、リレーノード、（たとえば、デバイス１０２とピアツーピアモードで通信する）ＵＥ、その一部分などであり得る。一例では、基地局１０６は、マクロセル基地局を含み得る基地局１０４によって与えられるセル１０８中に展開されるフェムトノードまたは同様の基地局であり得る。したがって、基地局１０６、および／またはそれと通信するデバイス、は基地局１０４および／またはデバイス１０２への干渉を引き起こすことがあり、ならびに／あるいはその逆も同様である。この点について、たとえば、基地局１０４および１０６は、基地局が互いに干渉することなしに別々にその上で通信することができる保護リソース（protected resources）を（たとえば、バックホール接続１１０上で）調整することができる。たとえば、保護リソースは、ｅＩＣＩＣなど、１つまたは複数のリソース区分方式（resource partitioning schemes）を使用してネゴシエートされ得る。リソース区分は、時分割多重化（ＴＤＭ）、周波数分割多重化（ＦＤＭ）、空間分割多重化（ＳＤＭ）、直交周波数分割多重化（ＯＦＤＭ）などに基づくことができる。
【００２９】
[0039]  一例によれば、デバイス１０２は、ワイヤレスネットワークアクセスを受信するために基地局１０４と通信することができ、基地局１０４および／または他の基地局を測定することに関与する物理レイヤプロシージャを実行することができる。たとえば、そのようなプロシージャは、ＲＬＦを検出することなどの、ＲＬＭプロシージャ、アクティブモードハンドインまたは再選択のためのセルを測定することなどの、ＲＲＭ機能、基地局１０４に報告するためのＣＱＩまたは他の品質測定値を測定することなどの、ＣＳＩオペレーションなどを含むことができる。この例では、デバイス１０２は、したがって、平均信号品質または平均干渉を判断するために、サービングセル１０８中の信号１１２ならびに１つまたは複数の近隣セルからの信号１１４を周期的に測定することができる。たとえば、測定値は、信号対雑音比（ＳＮＲ）、キャリア対干渉およびノイズ比（ＣＩＮＲ）、受信信号強度インジケータ（received signal strength indicator）（ＲＳＳＩ）、基準信号受信電力（reference signal received power）（ＲＳＲＰ）、基準信号受信品質（reference signal received quality）（ＲＳＲＱ）、および／または同様の測定値を備えることができる。基地局１０４からの信号は、デバイス１０２において受信されるとき、基地局１０６からの信号によって干渉されることがあるが、デバイス１０２は、基地局１０６および／または他の基地局からの干渉を回避するために基地局１０４からの信号をその上で測定すべきリソースのセットを判断することができる。
【００３０】
[0040]  一例では、デバイス１０２は、基地局１０４からの信号をその上で測定すべきリソースのセットの指示を受信することができる。たとえば、その指示は、複数のリソース（たとえば、サブフレーム）のうちの各々がデバイス１０２によって測定され得るかどうかを指定するビットマップに対応することができる。一例では、デバイスは、基地局１０４からのそのような情報を要求することなどに基づいて、（たとえば、ＲＲＣメッセージ中で）基地局１０４との通信を初期化するときに基地局１０４からそのビットマップを受信することができる。基地局１０４は、基地局１０６など、１つまたは複数の基地局とネゴシエートされた保護リソースに対応するためにビットマップを生成することができ、したがって、そのビットマップは、デバイス１０２によって測定するための保護リソースの少なくとも一部分を指定することができる。このビットマップは、固定数または可変数のリソースに対応することができ、測定するための後続のリソースを判断するために反復して使用され得る。
【００３１】
[0041]  別の例では、基地局１０４はまた、基地局１０６など、１つまたは複数の基地局によって干渉されるリソースのセットの指示をデバイス１０２に通信することができる。デバイス１０２は、基地局１０４からの信号をその上で測定すべきリソースのセット（たとえば、ほとんどまたはまったく干渉のないリソースのセット）と、１つまたは複数の基地局によって干渉されるリソースのセットとに基づいてリソースの相補セット（complementary set of resources）を判断することができる。この相補セットは、その上での干渉レベルが基地局１０４によって知られていないリソースに対応することができる。したがって、一例では、デバイスは、基地局１０４を測定する際に相補セットをさらに利用することができる。これは、（たとえば、デューティサイクルに従って、再送信に関係するリソースグルーピングに従って、リソースの相補セット上での信号のブラインド干渉検出（a blind interference detection）に基づいてなど）相補セット中のリソース上で測定を実行すること、相補セット中のリソース上で測定を実行しないこと、相補セット中のいくつかのリソース上で測定を実行することなどを含むことができる。
【００３２】
[0042]  さらに別の例では、デバイス１０２は、デューティサイクルおよび／または基地局１０４からの信号をその上で測定すべきいくつかのサブフレームを定義することができる。たとえば、デューティサイクルおよび／またはサブフレームパラメータが、基地局１０４または他のネットワーク構成要素から受信され得、および／または１つまたは複数の構成されたまたはハードコーディングされた（hardcoded）パラメータ、前のパラメータの履歴などに基づいて判断され得る。たとえば、デューティサイクルは、基地局１０４からの信号の測定間の時間期間（たとえば、サブフレームの数）に対応することができ、サブフレームの数は、デューティサイクル内で測定するための信号をその上で受信すべきサブフレームの最大数であり得る。一例では、デューティサイクルの時間期間は、再送信時間期間に部分的に基づくことができる。いずれの場合も、デバイス１０２は、１つまたは複数の物理レイヤプロシージャのために被干渉リソース（interfered resources）を考慮することを緩和するために、少なくとも区分されたリソース上で測定を実行することができる。
【００３３】
[0043]  図２に、１つまたは複数の基地局からの信号をその上で測定すべきリソースを判断するための例示的な装置２００を示す。この図では、破線は、随意のモジュールおよび／またはそれとの通信を指すことができる。装置２００は、デバイス１０２など、ワイヤレスネットワークへのアクセスを受信するためにワイヤレスネットワーク中の１つまたは複数の基地局と通信するデバイスであり得、そのような通信を可能にするために、図示のモジュールよりも追加のモジュールを含むことができる。装置２００は、１つまたは複数の基地局によって送信された信号を受信するための受信モジュール２０２、信号をその上で測定すべき１つまたは複数のリソースを判断するためのリソース制限判断モジュール２０４、信号の測定を実行するための信号測定モジュール２０６、および／または信号測定値に部分的に基づいて１つまたは複数の物理レイヤプロシージャを実行するための物理レイヤプロシージャモジュール２０８を含むことができる。装置２００はまた、１つまたは複数の測定値に基づいてＲＬＦを判断するためのＲＬＦ検出モジュール２１０、１つまたは複数のリソース上で基地局から受信した信号の干渉レベルを判断することを試みるための干渉検出モジュール２１２、再送信方式に基づいて同様の干渉特性を有し得るリソースのグルーピングを取得するための再送信リソースグルーピングモジュール２１４、および／または基地局からの信号をその上で測定すべきリソースを判断するための１つまたは複数のデューティサイクルパラメータを与えるためのデューティサイクル判断モジュール２１６を随意に含むことができる。
【００３４】
[0044]  一例によれば、受信モジュール２０２は、基地局測定のための信号を取得することができる。たとえば、この信号は、基地局（図示せず）から受信され得、基地局によって送信された１つまたは複数のパイロット信号または他の信号に対応することができる。基地局によって送信されたこの信号は、いくつかのリソース上で干渉され得、リソース制限判断モジュール２０４は、したがって、信号測定値をその上で取得すべきリソースのセットを判断することができる。一例では、リソース制限判断モジュール２０４は、信号測定値のための１つまたは複数のリソース制限パターン（ＲＲＰ）を取得することができる。リソース制限判断モジュール２０４は、この例では、基地局または１つまたは複数の他のネットワーク構成要素からの（１つまたは複数の）ＲＲＰを受信することができる。（１つまたは複数の）ＲＲＰは、対応するサブフレーム上で信号が測定されるべきかどうかを各ビットが表すことができる１つまたは複数のビットマップ２１８を備えることができる。さらに、（１つまたは複数の）ＲＲＰは、基地局との無線ベアラを確立するためのＲＲＣＣｏｎｎｅｃｔｉｏｎＲｅｃｏｎｆｉｇｕｒａｔｉｏｎメッセージなど、ＲＲＣメッセージ中で基地局から受信され得る。
【００３５】
[0045]  この例では、信号測定モジュール２０６は、ＲＲＰビットマップ２１８中に示されるリソース上で基地局からの信号を測定することができる。たとえば、ビットマップ２１８は、リソース区分方式（たとえば、ｅＩＣＩＣ）を使用して基地局によってネゴシエートされた保護リソース上で測定割当て（measurement assignments）を示すことができる。したがって、ＲＲＰビットマップ２１８中に示された保護リソース上で実行された測定は、１つまたは複数の他の基地局からの干渉が実質的にない（substantially free of interference）ことがある。さらに、ＲＲＰビットマップ２１８は、実質的に任意の長さであり得、明示的に（たとえば、サブフレーム番号（ＳＦＮ）に基づいて）、現在のサブフレームから始めてなど、いくつかの前に受信したサブフレームに対応し得る。たとえば、ビットマップ２１８中の各ビットは、ハイブリッド自動再送／要求（hybrid automatic repeat/request）（ＨＡＲＱ）など、再送信方式のための時間期間の一部分、通信フレームの時間期間の一部分、それらの最小公倍数または他の関数などを表すことができる。ＨＡＲＱ再送信時間期間が８ミリ秒（ｍｓ）であり、通信フレームが１０ｍｓである周波数分割複信（ＦＤＤ）を使用した特定のＬＴＥの例では、各ビットが１ｍｓ（たとえば、ＬＴＥにおける１つの明示的サブフレーム）を表す場合、ビットマップ２１８は４０ｍｓ（８ｍｓと１０ｍｓの最小公倍数）であり得る。信号測定モジュール２０６は、ＲＲＰ中に示される、前の４０個のサブフレームの一部分上で受信された信号を測定することができる。
【００３６】
[0046]  たとえば、リソース制限判断モジュール２０４は、次と同様のＲＲＰビットマップ２１８を受信することができる。
【００３７】
１０００００００１０  ００００００１０００  ００００１０００００  ００１０００００００
[0047]  たとえば、上記のビットマップ２１８は、４０ビットであり、（第１のビットに基づく）現在のサブフレーム、ならびに現在のサブフレームから８、１６、２４、および３２サブフレームにあるサブフレーム中で測定するように指定することができる。これは、ＬＴＥにおけるＨＡＲＱ再送信方式に相関することができ、したがって、現在のサブフレームと８ｍｓの倍数離れているサブフレームとは、同じまたは同様の干渉を有し得る。この点について、ビットマップ２１８は、８ｍｓ離れているサブフレームのグループがＦＤＤにおいて同様の干渉を有することを表す。時分割複信（ＴＤＤ）など、他の例では、再送信時間期間が可変であり得るので、グルーピングはより複雑であり得る。したがって、ＴＤＤ構成におけるビットマップ２１８は、固定か、（たとえば、通信フレーム時間期間の最小公倍数などに基づいて）再送信時間期間に適合するように可変などであり得る。本明細書でさらに説明するように、ＴＤＤの場合、関連するダウンリンクサブフレームについてのＨＡＲＱインジケータを通信するために使用されるアップリンクＨＡＲＱサブフレーム、ならびにダウンリンクサブフレームについて再送信がその間に生じるサブフレームを含み得る、同様の干渉のサブフレームを判断することに基づいて、サブフレームがグルーピングされ得る。
【００３８】
[0048]  ビットマップ２１８は、時間領域測定リソース制限（time domain measurement resource restriction）を指定するために使用され得る、ＬＴＥにおけるｍｅａｓＳｕｂｆｒａｍｅＰａｔｔｅｒｎと同様であり得る。この例では、第１／左端のビットは、ＳＦＮ  ｍｏｄ  ｘ＝０を満たす無線フレームのサブフレーム＃０に対応し、ここで、ＳＦＮは、プライマリセル（a primary cell）、ＰＣｅｌｌのＳＦＮであり、ｘは１０によって除算されるビットストリングのサイズである。また、この例では、「１」は、対応するサブフレームが測定のために使用されることを示すことができる。
【００３９】
[0049]  したがって、信号測定モジュール２０６は、ＲＲＰビットマップ２１８中に示されたリソース（たとえば、対応するビットが１に設定されているリソース）上で基地局からの信号を測定することができる。たとえば、ＬＴＥでは、これは、基地局から信号がその上で受信されるサブフレームの明示的ＳＦＮに、ビットマップ２１８中のビットを関連付けること、ビットを現在のサブフレームに基づくサブフレームに関連付けるために、スライディング測定ウィンドウ（a sliding measurement window）を使用することなどのうちの少なくとも１つに基づくことができる。次いで、信号測定モジュール２０６は、所与のビットが測定を示すかどうかに基づいてサブフレーム上で信号を測定することができる。一例では、信号測定モジュール２０６は、信号測定値に基づいてリソース上の干渉平均値を生成することができる。
【００４０】
[0050]  物理レイヤプロシージャモジュール２０８は、ＲＬＭプロシージャ、ＲＲＭ機能、ＣＳＩオペレーションなど、信号測定値および／または干渉平均値を使用する１つまたは複数の物理レイヤプロシージャを実行することができる。たとえば、ＲＬＭプロシージャは、（たとえば、保護リソース上での平均測定値がしきい値レベルを下回る場合）基地局の測定値に基づいてＲＬＦを検出することを試みるＲＬＦ検出モジュール２１０を含むことができる。別の例では、物理レイヤプロシージャモジュール２０８は、測定値および／またはそれの平均値を使用して、ＣＱＩ報告、測定報告などを生成することができる。この点について、干渉なしの測定値が利用されるので、物理レイヤプロシージャは基地局に関してより正確な結果を生成することができる。
【００４１】
[0051]  別の例では、ＲＲＰビットマップ２１８中で測定のために指定されていないリソースは、基地局によってその上での干渉の存在および／または干渉レベルが知られていないリソースに対応することができる。一例では、信号測定モジュール２０６は、基地局の測定値を判断するために、そのようなリソース上で受信された測定値を無視することができる。ただし、別の例では、信号測定モジュール２０６は、これらのリソースの少なくとも一部分上で受信された信号をさらに測定することができる。たとえば、信号測定モジュール２０６は、１つまたは複数のデューティサイクルパラメータに従って、ＲＲＰ中で測定のために指定されていないすべてのリソース上の、またはそのようなリソースの少なくとも一部分上の信号測定値を平均化することができる。たとえば、デューティサイクルパラメータは、本明細書でさらに説明するように、信号を測定するための期間に関係するデューティサイクルＴおよび／または所与のデューティサイクルＴ中に信号がその上で測定され得るサブフレームの最大数Ｎを含むように、デューティサイクル判断モジュール２１６によって受信または生成され得る。さらに、デューティサイクルパラメータは、デューティサイクルを利用するためのオフセットを含むことができる。いずれの場合も、たとえば、信号測定モジュール２０６は、ＲＲＰビットマップ２１８中に示されたリソース上でのそれらの測定値とともに測定値の一部分を利用すること、測定のために指定されていないリソース上での測定値の少なくとも一部分を物理レイヤプロシージャモジュール２０８に別個に与えることなどができる。
【００４２】
[0052]  したがって、たとえば、物理レイヤプロシージャモジュール２０８は、測定のために指定されていないリソースについて別個に物理レイヤプロシージャを実行することができる。たとえば、物理レイヤプロシージャモジュール２０８は、ＲＲＰビットマップ２１８中に示されたリソースについてのＣＱＩを報告すること、およびビットマップ２１８中で測定のために指定されていないリソースについてのＣＱＩを別個に報告することができる。
【００４３】
[0053]  別の例では、干渉検出モジュール２１２は、ＲＲＰビットマップ２１８中で測定のために指定されていないリソース上で干渉レベルを判断することを試みることができる。たとえば、干渉検出モジュール２１２は、（たとえば、しきい値を満たす）低い干渉レベルを有するリソースを判断するために、１つまたは複数のリソース上で干渉推定を実行することができる。この例では、信号測定モジュール２０６は、同様に、物理レイヤプロシージャモジュール２０８にそのリソース上での信号測定値を与えることができ、および／または（たとえば、ビットマップ２１８の後続の時間期間における測定のための）そのリソースを含むようにビットマップ２１８を更新することができるリソース制限判断モジュール２０４にそのリソースを示すことができる。同様に、本明細書でさらに説明するように、干渉検出モジュール２１２は、（たとえば、しきい値を満たす）高い干渉レベルを有するリソースのうちの１つまたは複数を判断することができ、および別個の報告のための物理レイヤプロシージャモジュール２０８にそのような測定値を別個に与えることができ、ならびに／あるいはリソース制限判断モジュール２０４は、被干渉リソースに対応する別個のビットマップ中でそのリソースを示すことができる。
【００４４】
[0054]  たとえば、干渉検出モジュール２１２は、ＲＲＰビットマップ２１８中で測定のために指定されていないリソース（たとえば、対応するビットが０に設定されているリソース）上でブラインド干渉検出を実行することができる。たとえば、干渉測定値が、ビットマップ２１８中で測定のために示されたリソース上での干渉レベルと同様である場合、干渉検出モジュール２１２は、ブラインド干渉検出がその上で実行されるリソースが測定され得ることを判断することができる。別の例では、干渉検出モジュール２１２は、クロスサブフレーム・スケジューリング割当て（cross-subframe scheduling assignments）に対応する１つまたは複数のリソース（たとえば、ページング信号、ＳＩＢ１など、システム情報ブロック（ＳＩＢ）などを送信するために示されたサブフレーム）を判断することができる。そのようなサブフレームは、一般に（たとえば、リソース区分、またはさもなければそのような信号を通信するための知られている予約のため）低干渉を有するので、干渉検出モジュール２１２は、そのようなサブフレーム上で信号が測定され得ることをさらに判断することができる。追加のリソースが測定のためにそのように判断された場合、干渉検出モジュール２１２は、そのようなリソースを含むようにビットマップ２１８を相応に変更することをリソース制限判断モジュール２０４に通知することができ、および／またはそのリソース上で測定することを可能にするために信号測定モジュール２０６にそのことを示すことができる。
【００４５】
[0055]  別の例では、再送信リソースグルーピングモジュール２１４は、再送信のためにリソース（たとえば、サブフレーム）のグルーピングを生成またはさもなければ受信することができる。リソース制限判断モジュール２０４は、再送信リソースグルーピングに基づいて基地局からの信号を測定するために追加のリソースが利用され得るかどうかを判断することができる再送信リソースグルーピングモジュール２１４に、ＲＲＰビットマップ２１８を与えることができる。たとえば、ＬＴＥにおける所与のサブフレームについて、再送信リソースグルーピングモジュール２１４は、以下でさらに説明するように、サブフレーム中の通信のためのＨＡＲＱ肯定応答インジケータがその上で生じるサブフレームに基づいて、および／または同様の割り当てられたＨＡＲＱ再送信サブフレームを有する他のサブフレームに基づいて、サブフレームを通信フレーム中の他のサブフレームに関連付けることができる。たとえば、少なくとも、サブフレームは再送信方式の信頼できるオペレーションを可能にするために同様のリソース区分を有することができるので、サブフレームのグルーピング上で同様の干渉レベルが予想され得る。したがって、ＲＲＰビットマップ２１８中で測定のために示されたサブフレームについて、再送信リソースグルーピングモジュール２１４は、現在または後続の時間期間における追加の測定のためにそのサブフレームをもつグルーピング中の関係するサブフレームとともにビットマップ２１８を示し、またはさもなければ更新することができる。そのようなグルーピングは、ＴＤＤ構成において適用され得、それの１つの可能な例が図４に示されている。別の例では、再送信リソースグルーピングモジュール２１４は、現在の信号測定のための同様のサブフレームを信号測定モジュール２０６に通知することができる。
【００４６】
[0056]  別の例では、リソース制限判断モジュール２０４は、被干渉リソースのセットを示す別のビットマップ２１８を基地局から取得することができる。たとえば、基地局は、他の基地局による利用のためにネゴシエートされたリソースをビットマップ２１８中に示すことができる。別の例では、基地局は、装置２００および／または他のデバイスから報告されたＣＱＩに基づいてリソースを判断することができる。いずれの場合も、信号測定モジュール２０６は、そのリソース上で受信された信号を測定することを控えることを判断することができる。さらに、この例では、いずれのビットマップ２１８（たとえば、被干渉リソースのビットマップまたはＲＲＰに対応するビットマップ）中にも示されないリソースの相補セットがあり得、したがって、干渉は相補リソース（complementary resources）のセットについて知られていない。この例では、同様の概念（たとえば、上記で説明したように、ブラインド検出など）は、信号測定モジュール２０６が相補リソースのセットの少なくとも一部分上で信号を測定するのを可能にすべきかどうか、相補リソースのセットの少なくとも一部分上で測定値を示すようにリソース制限判断モジュール２０４にビットマップ２１８を更新させるべきかどうかなどのうちの少なくとも１つを判断するために適用され得る。
【００４７】
[0057]  他の例では、リソース制限判断モジュール２０４は、１つまたは複数のデューティサイクルパラメータに基づいて基地局からの信号をその上で測定すべきリソースを判断することができる。たとえば、デューティサイクル判断モジュール２１６は、デューティサイクルＴ、サブフレームの最大数Ｎなどを含むことができる１つまたは複数のパラメータを生成またはさもなければ受信することができる。デューティサイクル判断モジュール２１６は、一例では、構成、パラメータの履歴分析（たとえば、どのパラメータが最も正確な測定値を生成するか）などに基づいてパラメータの少なくとも１つを生成することができる。別の例では、デューティサイクル判断モジュール２１６は、ハードコーディング（a hardcoding）からのパラメータを判断すること、または基地局または他のネットワーク構成要素からのパラメータを受信することなどができる。いずれの場合も、リソース制限判断モジュール２０４は、サブフレームの最大数Ｎに基づいてサブフレームのデューティサイクルＴにおいて１つまたは複数のサブフレームを選択することができ、信号測定モジュール２０６は、そのサブフレーム上で受信された信号を測定することができる。特定の一例では、連続するサブフレームを測定することを可能にするために、Ｔは１であり得、Ｎは２であり得る。他の例では、追加のデューティサイクルが、デューティサイクル判断モジュール２１６によって指定され得る。一例では、デューティサイクルは、サブフレームの最大数Ｎ1およびＮ2とともに、Ｔ1およびＴ2を含むことができる。したがって、リソース制限判断モジュール２０４は、一例では、ｉ＜Ｎ1およびｊ＜Ｎ2の場合、測定するためのサブフレームｎ（現在のサブフレーム）、ｎ−Ｔ1、．．．、ｎ−（Ｎ1−１）Ｔ1、ｎ−Ｔ2、ｎ−Ｔ2−Ｔ1、．．．、ｎ−ｉＴ1−ｊＴ2を選択することができる。
【００４８】
[0058]  さらに、たとえば、ＲＲＰビットマップ２１８は、装置２００など、所与のデバイスに固有であるように、基地局によって生成され得る。装置２００は、基地局と通信している他のデバイスがその干渉を受けることも、受けないこともある１つまたは複数の基地局からの潜在的な干渉を受けることがある。したがって、ＲＲＰビットマップ２１８は、基地局に対する、少なくとも装置２００のロケーションに関係することができる。
【００４９】
[0059]  図３に、装置３００によって送信された信号を測定するためのＲＲＰを与えるための例示的な装置３００を示す。この図では、破線は、随意のモジュールおよび／またはそれとの通信を指すことができる。装置３００は、それへのアクセスを与えるためにワイヤレスネットワーク中のデバイスと通信することができるフェムトノード、マクロセル基地局、または他の基地局（たとえば、基地局１０４および１０６）であり得る。装置３００は、装置３００が１つまたは複数の他の基地局からの干渉なしにその上で送信することができる保護リソースの指示をネゴシエートまたはさもなければ受信するための随意のリソース区分モジュール３０２と、保護リソースに部分的に基づいてＲＲＰを生成するためのＲＲＰ定義モジュール３０４と、１つまたは複数のデバイスにＲＲＰを通信するためのＲＲＰ提供モジュール３０６とを含むことができる。装置３００はまた、デバイスのロケーションを取得するためのデバイスロケーション判断モジュール３０８、装置３００によって送信された信号を測定するための１つまたは複数のデューティサイクルパラメータを生成および／または与えるためのデューティサイクル提供モジュール３１０、ならびに／あるいはリソースのセット上で受信された信号に関係するＣＳＩを取得するためのＣＳＩ受信モジュール３１２を随意に含むことができる。
【００５０】
[0060]  一例によれば、リソース区分モジュール３０２は、１つまたは複数の基地局を用いて実行されるリソース区分方式（たとえば、ｅＩＣＩＣ）に基づいてネゴシエートされた保護リソースの指示を取得することができる。一例では、リソース区分モジュール３０２は、利用可能性、異なる基地局のロケーションなどに基づいて、異なるリソースを異なる基地局とネゴシエートすることができる。ＲＲＰ定義モジュール３０４は、装置３００からの信号を測定するための、ビットマップ２１８の形態であり得るＲＲＰを生成することができる。たとえば、ＲＲＰ定義モジュール３０４は、各ビットに関係するリソースが測定されるべきかどうか（たとえば、干渉があるべきでない保護リソースにそのリソースが対応するかどうか）を指定するために、ＲＲＰビットマップ２１８を生成することができる。
【００５１】
[0061]  ＬＴＥでは、たとえば、ビットマップ２１８は４０ビットであることができ、各ビットは１ｍｓサブフレームに対応する。ビットマップ２１８は、現在またはさもなければ明示的に識別されたサブフレームにおいて始まり、現在のサブフレームから何ｍｓも離れているサブフレーム上で受信された信号が、デバイスにおける１つまたは複数の物理レイヤプロシージャのために測定されるべきかどうかを指示することができる。たとえば、これは、ＣＳＩおよび／または測定報告を装置３００に返報することを含むことができ、一例では、ＣＳＩ受信モジュール３１２はＣＳＩを取得することができる。しかしながら、与えられたリソースは干渉を受けるべきでない（should be free from interference）ので、より正確なＣＳＩおよび／または測定報告がそのデバイスから受信され得る。いずれの場合も、ＲＲＰ提供モジュール３０６は、装置３００によって送信された信号を測定するために、１つまたは複数のデバイスにＲＲＰビットマップ２１８を通信することができる。
【００５２】
[0062]  別の例では、ＲＲＰ定義モジュール３０４は、被干渉リソースのビットマップ２１８を生成することができる。たとえば、被干渉リソースのビットマップ２１８は、１つまたは複数の基地局によってネゴシエートされた１つまたは複数のリソース（たとえば、１つまたは複数の基地局が、装置３００からの最小の干渉で信号をその上で送信することができるリソース）を示すリソース区分モジュール３０２に基づくこともできる。これにより、ＲＲＰ提供モジュール３０６は、さらに、このビットマップ２１８を１つまたは複数のデバイスに与えることができ、このビットマップにより、１つまたは複数のデバイスは、装置からの信号を測定するためのリソースとそのような信号測定を回避すべきリソースとを区別することが可能になり得る。さらに、デバイスは、測定すべきかどうかをさらに判断するためのリソースの相補セットを判断することができる。いずれの場合も、デバイスはまた、被干渉リソースおよび／または相補セット上で測定し、それについて別々のＣＳＩを与えることができ、したがって、ＣＳＩ受信モジュール３１２は、同様に、図示のように被干渉リソースについてのＣＳＩを受信することができる。
【００５３】
[0063]  さらに、ＲＲＰビットマップ２１８は、（たとえば、異なる基地局とネゴシエートされたリソースに基づいて）異なる基地局について定義され得るので、ＲＲＰ提供モジュール３０６は、デバイスのロケーションに基づいてＲＲＰビットマップ２１８を選択し、デバイスに与えることができる。たとえば、デバイスロケーション判断モジュール３０８は、（少なくとも装置３００および／または他の基地局に対する）デバイスのロケーションを判断することができ、ロケーションに部分的に基づいてデバイスにおける潜在的な干渉に対応するビットマップ２１８を判断するためにＲＲＰ提供モジュール３０６にロケーション情報を与えることができる。一例では、デバイスロケーション判断モジュール３０８は、デバイスから受信した測定報告に基づいてデバイスが１つまたは複数の基地局の近くにあると判断することができ、ＲＲＰ提供モジュール３０６に１つまたは複数の基地局に関する情報を与えることができる。この例では、ＲＲＰ提供モジュール３０６は、装置３００からの信号を測定するためのリソースとして１つまたは複数の基地局とネゴシエートされたリソースを示すビットマップ２１８を選択し、デバイスに与えることができる。他の例では、デバイスロケーション判断モジュール３０８は、１つまたは複数の他の受信したパラメータ（たとえば、ＧＰＳロケーション、１つまたは複数の基地局の既知のロケーションなど）に基づいてデバイスのロケーションを判断することができ、装置３００からの信号を受信するときにデバイスへの干渉を潜在的に引き起こすことがある、デバイスに最も近い１つまたは複数の基地局に関係するビットマップ２１８を選択することができる。
【００５４】
[0064]  さらに別の例では、デューティサイクル提供モジュール３１０は、デューティサイクルＴ、サブフレームの最大数Ｎなど、１つまたは複数のデューティサイクルパラメータをデバイスに与えることができる。たとえば、デューティサイクル提供モジュール３１０は、構成、ハードコーディング、利用された再送信方式またはフレームタイミングなどに基づいてそのパラメータを判断することができる。
【００５５】
[0065]  図４は、ＲＲＰを判断または変更する際にサブフレームがグルーピングされ得る、ＬＴＥにおける例示的なＴＤＤリソース割当て４００を示す図である。この例では、各ＴＤＤサブフレームは、（それぞれＤ、Ｕ、およびＤ／Ｕによって示される）固有のサブフレームにおいて、ダウンリンクデータを送信すること、アップリンクデータを受信すること、またはダウンリンクとアップリンクとの間で切り替えることを行うために利用され得る。各ダウンリンクサブフレームは、ダウンリンクサブフレームに関係するＨＡＲＱフィードバックを送信するためのアップリンクサブフレームにマッピングされる。ＬＴＥでは、ＨＡＲＱフィードバックのためのサブフレームは、関係するダウンリンクサブフレームから少なくとも４ｍｓにある。したがって、この例では、ダウンリンクサブフレーム０  ４０２およびダウンリンク／アップリンクサブフレーム１  ４０４は、サブフレーム０  ４０２とサブフレーム１  ４０４とに関係するＨＡＲＱフィードバックを送信するためのアップリンクサブフレーム７  ４０６にマッピングされ得る。さらに、サブフレーム７  ４０６は、サブフレーム０  ４０２および／またはサブフレーム１  ４０４からのデータを再送信するための後続のフレーム中のダウンリンク／アップリンクサブフレーム１  ４０８に関連付けられ得る。このようにして、サブフレーム０  ４０２、サブフレーム１  ４０４、サブフレーム７  ４０６、ならびに／あるいは、サブフレーム０  ４１０およびサブフレーム１  ４０８など、後続の同様のサブフレームが、再送信のためにグルーピングされ得る。この例では、同じグループ中のサブフレームは、リソース区分によって同様の干渉を経験することがある。図示の構成は、１つの可能な例にすぎないことを諒解されたい。異なるＨＡＲＱタイムラインに応じて異なるＴＤＤ構成が同様に利用され得、したがって、同様または同じ干渉を経験するサブフレームのセット（たとえば、そのダウンリンクサブフレーム上で通信を肯定応答するために割り当てられたリソース、および／または受信が否定応答された通信を再送信するために割り当てられた追加のダウンリンクサブフレーム）を取得するために、ダウンリンクサブフレームと対応するアップリンクサブフレームとの間のグルーピングが変更され得る。
【００５６】
[0066]  したがつて、この例では、ダウンリンクサブフレーム４  ４１２は、アップリンクサブフレーム８  ４１４および／またはダウンリンクサブフレーム４  ４１６とともにグルーピングされ、ダウンリンクサブフレーム５  ４１８およびダウンリンク／アップリンクサブフレーム６  ４２０は、アップリンクサブフレーム２  ４２２とともにグルーピングされ、ダウンリンクサブフレーム９  ４２４は、アップリンクサブフレーム３  ４２６とともにグルーピングされ得る。したがって、サブフレームはアップリンク通信、ダウンリンク通信、またはＵ／Ｄスイッチングのいずれか用に予約されるので、基地局から受信した信号があるサブフレーム上で測定され得ることをＲＲＰビットマップが示した場合、ＴＤＤ構成においてそのあるサブフレームとともにグルーピングされた追加のサブフレームが測定において使用され得る。現在のサブフレームと、４０ｍｓビットマップ中の８ｍｓ、１６ｍｓ、２４ｍｓ、および３２ｍｓにある前のサブフレームとを測定することをビットマップが示し、現在のサブフレームが０である、上記の例では、たとえば、（たとえば、サブフレーム０、１、および７のグルーピングに基づいて）１ｍｓ、７ｍｓ、９ｍｓ、１５ｍｓ、１７ｍｓ、２３ｍｓ、２５ｍｓ、３１ｍｓ、３３ｍｓ、および／または３９ｍｓにあるサブフレーム上の信号も測定され得る。さらに、このビットマップは、現在または後続の時間期間においてそのような測定値を含むように変更され得る。
【００５７】
[0067]  図５〜図７に、様々なリソース上で受信された基地局からの信号を測定することに関係する例示的な方法を示す。説明を簡単にするために、方法を一連の行為として図示し説明するが、いくつかの行為は、１つまたは複数の実施形態によれば、本明細書で図示し説明する他の行為と同時に、および／または異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００５８】
[0068]  図５に、１つまたは複数の物理レイヤプロシージャを実行するための信号測定値を判断するための例示的な方法５００を示す。
【００５９】
[0069]  ５０２において、リソースのセット上で基地局からの信号を受信する。たとえば、この信号は、基地局によって送信されたパイロット信号、データ信号、または他の信号に対応することができ、トランシーバを使用して基地局の動作周波数上で受信され得る。
【００６０】
[0070]  ５０４において、（１つまたは複数の）ＲＲＭパラメータに基づいてリソース上で信号を受信する。たとえば、これは、リソースのセットの一部分上で受信され得る基地局からの信号を測定するためのＲＲＰに関係する１つまたは複数のパラメータを受信することを含むことができる。１つまたは複数のパラメータは、リソースのセットのうちのどちらが基地局の信号測定値を計算するために使用され得るかを指定する（たとえば、ＲＲＣシグナリングを介して基地局から受信された）ＲＲＰビットマップを含むことができる。一例では、ビットマップ中の各ビットは、現在のサブフレームから始めて複数の前のサブフレームを含むサブフレームに対応することができ、１に設定されたビットはそのサブフレーム中の信号が測定され得ることを示し、０に設定されたビットは対応するサブフレーム上で信号を測定すべきでないことを示す。さらに、ＲＲＰ中で測定するために示されるリソースは、基地局によって１つまたは複数の他の基地局とネゴシエートされた保護リソースに対応することができる。さらに別の例では、１つまたは複数のパラメータは、デューティサイクル時間期間、デューティサイクル中に信号がその上で測定され得るサブフレームの数など、デューティサイクルパラメータに対応することができる。
【００６１】
[0071]  ５０６において、（１つまたは複数の）ＲＲＭパラメータに基づいてリソース上で信号を測定する。たとえば、これは、１つまたは複数の信号測定値を判断するために、１つまたは複数のパラメータに基づいてリソースのセットの少なくとも一部分を測定することを含むことができる。信号を測定することは、リソースのセットの一部分上で受信された信号のＳＮＲ、ＣＩＮＲ、ＲＳＳＩ、ＲＳＲＰ、ＲＳＲＱ、または同様のメトリックを判断することを含むことができる。一例では、リソースのセットの一部分は、リソースのセットの少なくとも一部分を除外することができる。リソースの一部分は基地局によって指定されたＲＲＰに関係することがあり、そのリソースの一部分上での測定値は、他の基地局からの干渉を受け得る他のリソース上で信号を測定するよりもより正確であり得る。
【００６２】
[0072]  ５０８において、信号測定値に基づいて（１つまたは複数の）物理レイヤプロシージャを実行する。（１つまたは複数の）物理レイヤプロシージャは、信号測定値を使用してＲＬＦを検出すること、測定報告を生成すること、ＣＳＩフィードバックを報告することなどができるＲＬＭプロシージャ、ＲＲＭ機能、ＣＳＩオペレーションなどを含むことができる。別の例では、５０６において、リソースのセットの一部分外のリソースの第２の部分を別個に測定し、５０８において、リソースの第２の部分の測定値に基づいて追加の物理レイヤプロシージャを実行する。たとえば、別々のＣＳＩが、リソースのセットの一部分とリソースの第２の部分とについて報告され得る。
【００６３】
[0073]  図６に、リソースのセット上で基地局から受信した信号を測定するための例示的な方法６００を示す。
【００６４】
[0074]  ６０２において、ＲＲＰを受信する。たとえば、基地局からの信号を測定するために、基地局からのＲＲＰが受信され得る。たとえば、これは、（たとえば、ＲＲＣシグナリングにおいて）基地局からのＲＲＰビットマップを受信することを含むことができる。別の例では、これは、基地局からのデューティサイクルパラメータを受信することを含むことができる。
【００６５】
[0075]  ６０４において、ＲＲＰ中で測定のために指定されていない（１つまたは複数の）リソースを識別する。これは、ＲＲＰビットマップが測定すべきでないと指定するリソース（たとえば、対応するビットがビットマップ中で０に設定されているリソース）および／またはそれの一部分を判断することを含むことができる。別の例では、１つまたは複数の他の基地局によって利用されるリソースを指定する干渉ビットマップが受信され得、ＲＲＰビットマップと干渉ビットマップとに基づいて、測定のために指定されていないリソースの少なくとも一部分としてリソースの相補セットが判断され得る。
【００６６】
[0076]  ６０６において、ＲＲＰ中に追加のリソースを含めるべきかどうかを判断する。一例では、これは、測定のために指定されていないリソース上の干渉を（たとえば、１つまたは複数のリソース上の信号がしきい値干渉を満たすかどうかを）判断することを試みることを含むことができる。別の例では、これは、グルーピング（たとえば、再送信方式のためのリソースのグルーピング）に従ってリソースがＲＲＰ中のリソースに関連付けられているかどうかを判断することを含むことができる。さらに別の例では、これは、クロスサブフレーム・スケジューリング割当てに対応するリソースを判断することを含むことができる。さらに別の例では、これは、１つまたは複数のデューティサイクルパラメータに基づいてリソースを判断することを含むことができる。
【００６７】
[0077]  ＲＲＰ中に追加のリソースを含めると判断した場合、６０８において、ＲＲＰを更新する。一例では、これは、後続または現在の時間期間についてリソースの少なくとも一部分のうちの１つまたは複数上で測定することを示すために、ＲＲＰビットマップを更新することを含むことができる。別の例では、これは、後続または現在の時間期間についてのリソースの少なくとも一部分のうちの１つまたは複数の上の干渉を示すために干渉ビットマップを更新することを含むことができる。
【００６８】
[0078]  図７に、デバイスにＲＲＰを与えるための例示的な方法７００を示す。
【００６９】
[0079]  ７０２において、リソースのセット上で送信された信号を測定するためのＲＲＰを判断する。たとえば、これは、ハードコーディングまたは構成からＲＲＰを取得すること、リソース区分を使用して１つまたは複数の他の基地局とネゴシエートされた保護リソースに基づいてＲＲＰを判断することなどを含むことができる。
【００７０】
[0080]  ７０４において、ＲＲＰに対応する１つまたは複数のパラメータをデバイスに通信する。これは、デバイスにＲＲＰビットマップを通信すること、デバイスに干渉ビットマップを通信することなどを含むことができる。追加または代替として、これは、デバイスに１つまたは複数のデューティサイクルパラメータを通信することを含むことができる。
【００７１】
[0081]  本明細書で説明する１つまたは複数の態様によれば、説明したように、基地局によって送信された信号をその上で測定すべきリソースを判断すること、ＲＲＰを更新することなどに関する推論（inferences）が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよびイベントの考察に基づく関心の状態(states of interest)に関しての確率分布の計算とすることができる。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータソースに由来するかどうかにかかわらず、観測されたイベントおよび／または記憶されたイベントデータのセットから新しいイベントまたはアクションが構成される。
【００７２】
[0082]  図８は、基地局からの信号をその上で測定すべきリソースを判断することを可能にするモバイルデバイス８００の図である。モバイルデバイス８００は、たとえば受信アンテナ（図示せず）から信号を受信し、受信信号に対して典型的な動作（たとえば、フィルタ処理、増幅、ダウンコンバートなど）を行い、サンプルを得るために調整された信号をデジタル化する受信機８０２を備える。受信機８０２は、受信したシンボルを復調し、それらをチャネル推定のためにプロセッサ８０６に与えることができる復調器８０４を備えることができる。プロセッサ８０６は、受信機８０２によって受信された情報の分析および／または送信機８０８による送信のための情報の生成に専用のプロセッサ、モバイルデバイス８００の１つまたは複数の構成要素を制御するプロセッサ、ならびに／あるいは受信機８０２によって受信された情報の分析、送信機８０８による送信のための情報の生成、およびモバイルデバイス８００の１つまたは複数の構成要素の制御を行うプロセッサであり得る。
【００７３】
[0083]  モバイルデバイス８００は、さらに、メモリ８１０を備えることができ、メモリ８１０は、プロセッサ８０６に動作可能に結合され、送信すべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ８１０は、さらに（たとえばパフォーマンスベース、容量ベースなどの）チャネルの推定および／または利用に関連するプロトコルおよび／またはアルゴリズムを記憶することができる。
【００７４】
[0084]  本明細書で説明するデータストア（たとえば、メモリ８１０）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ８１０は、これらおよび他の適切なタイプのメモリを、それらに限定されることなく、備えるものとする。
【００７５】
[0085]  一例では、受信機８０２は、受信モジュール２０２と同様であり得る。プロセッサ８０６は、さらに、随意に、リソース制限判断モジュール２０４と同様であり得るリソース制限判断モジュール８１２、信号測定モジュール２０６と同様であり得る信号測定モジュール８１４、物理レイヤプロシージャモジュール２０８と同様であり得る物理レイヤプロシージャモジュール８１６、ＲＬＦ検出モジュール２１０と同様であり得るＲＬＦ検出モジュール８１８、干渉検出モジュール２１２と同様であり得る干渉検出モジュール８２０、再送信リソースグルーピングモジュール２１４と同様であり得る再送信リソースグルーピングモジュール８２２、および／またはデューティサイクル判断モジュール２１６と同様であり得るデューティサイクル判断モジュール８２４に動作可能に結合され得る。
【００７６】
[0086]  モバイルデバイス８００は、またさらに、たとえば、基地局、別のモバイルデバイスなどへの送信機８０８による送信のための信号を変調する変調器８２６を備える。その上、たとえば、モバイルデバイス８００は、説明したように、複数のネットワークインターフェースのための複数の送信機８０８を備えることができる。プロセッサ８０６とは別個のものとして図示されているが、リソース制限判断モジュール８１２、信号測定モジュール８１４、物理レイヤプロシージャモジュール８１６、ＲＬＦ検出モジュール８１８、干渉検出モジュール８２０、再送信リソースグルーピングモジュール８２２、デューティサイクル判断モジュール８２４、復調器８０４、および／または変調器８２６は、プロセッサ８０６または複数のプロセッサ（図示せず）の一部であり得、および／またはプロセッサ８０６が実行するためのメモリ８１０中に命令として記憶され得ることを諒解されたい。
【００７７】
[0087]  図９は、ワイヤレス通信を使用して１つまたは複数のデバイスと通信することを可能にするシステム９００の図である。システム９００は、実質的に任意の基地局（たとえば、フェムトノード、ピコノードなどの低電力基地局、モバイル基地局、．．．）、リレーなどであり得る基地局９０２を備え、基地局９０２は、（たとえば、説明したように、複数のネットワーク技術であり得る）複数の受信アンテナ９０６を介して１つまたは複数のモバイルデバイス９０４から（１つまたは複数の）信号を受信する受信機９１０と、（たとえば、説明したように、複数のネットワーク技術であり得る）複数の送信アンテナ９０８を介して１つまたは複数のモバイルデバイス９０４に送信する送信機９３２とを有する。さらに、一例では、送信機９３２は、ワイヤードフロントリンク上でモバイルデバイス９０４に送信することができる。受信機９１０は、１つまたは複数の受信アンテナ９０６から情報を受信することができ、受信された情報を復調する復調器９１２と動作可能に関連する。さらに、一例では、受信機９１０は、ワイヤードバックホールリンクから受信することができる。さらに、別々のアンテナとして示されるが、少なくとも１つの送信アンテナ９０８と少なくとも１つの受信アンテナ９０６とは、単一のアンテナとして結合され得ることを諒解されたい。
【００７８】
[0088]  復調されたシンボルは、図８に関して上記で説明したプロセッサと同様であり得るプロセッサ９１４によって分析され、プロセッサ９１４は、信号（たとえば、パイロット）強度および／または干渉強度、（１つまたは複数の）モバイルデバイス９０４（または異種基地局（図示せず））に送信されるべきデータまたはそこから受信されるべきデータを推定することに関係する情報、および／または本明細書に記載した様々な動作および機能を実行することに関係する他の適切な情報を記憶するメモリ９１６に結合される。
【００７９】
[0089]  プロセッサ９１４は、さらに、随意に、リソース区分モジュール３０２と同様であり得るリソース区分モジュール９１８、ＲＲＰ定義モジュール３０４と同様であり得るＲＲＰ定義モジュール９２０、ＲＲＰ提供モジュール３０６と同様であり得るＲＲＰ提供モジュール９２２、デバイスロケーション判断モジュール３０８と同様であり得るデバイスロケーション判断モジュール９２４、デューティサイクル提供モジュール３１０と同様であり得るデューティサイクル提供モジュール９２６、および／またはＣＳＩ受信モジュール３１２と同様であり得るＣＳＩ受信モジュール９２８に結合される。その上、たとえば、プロセッサ９１４は、変調器９３０を使用して送信されるべき信号を変調し、送信機９３２を使用して変調された信号を送信することができる。送信機９３２は、Ｔｘアンテナ９０８を介して信号をモバイルデバイス９０４に送信することができる。
【００８０】
[0090]  さらに、基地局９０２は、バックホールインターフェースを介して１つまたは複数のｅＮＢ９３６と通信するためのバックホール通信モジュール９３４を含むことができる。たとえば、バックホール通信モジュール９３４は、１つまたは複数のバックホールインターフェース（たとえば、ＬＴＥにおけるＸ２インターフェース）を使用して、ワイヤードまたはワイヤレスバックホールリンクを介してｅＮＢ９３６と通信することができる。たとえばバックホールリンクがワイヤレスの場合、基地局９０２は、Ｒｘアンテナ９０６および受信機９１０を利用してｅＮＢ９３６から通信を受信し、および／またはＴｘアンテナ９０８および送信機９３２を利用してｅＮＢ９３６に信号を通信することができることを諒解されたい。
【００８１】
[0091]  さらに、プロセッサ９１４とは別個のものとして図示されているが、リソース区分モジュール９１８、ＲＲＰ定義モジュール９２０、ＲＲＰ提供モジュール９２２、デバイスロケーション判断モジュール９２４、デューティサイクル提供モジュール９２６、ＣＳＩ受信モジュール９２８、バックホール通信モジュール９３４、復調器９１２、および／または変調器９３０は、プロセッサ９１４または複数のプロセッサ（図示せず）の一部であり得、および／またはプロセッサ９１４が実行するためのメモリ９１６中に命令として記憶され得ることを諒解されたい。
【００８２】
[0092]  図１０に、本明細書で提示する様々な実施形態によるワイヤレス通信システム１０００を示す。システム１０００は、複数のアンテナグループを含むことができる基地局１００２を備える。たとえば、１つのアンテナグループはアンテナ１００４および１００６を含み、別のグループはアンテナ１００８および１０１０を備え、さらなるグループはアンテナ１０１２および１０１４を含むことができる。アンテナグループごとに２つのアンテナが示されているが、グループごとにより多いまたはより少ないアンテナが利用され得る。基地局１００２は、さらに、送信機チェーンおよび受信機チェーンを含むことができ、送信機チェーンおよび受信機チェーンの各々は、諒解されるように、信号送信および受信に関連する複数の構成要素またはモジュール（たとえば、プロセッサ、変調器、マルチプレクサ、復調器、デマルチプレクサ、アンテナなど）を備えることができる。
【００８３】
[0093]  基地局１００２は、モバイルデバイス１０１６およびモバイルデバイス１０２２など１つまたは複数のモバイルデバイスと通信することができるが、基地局１００２は、モバイルデバイス１０１６および１０２２と同様の実質的にいかなる数のモバイルデバイスとも通信することができることを諒解されたい。モバイルデバイス１０１６および１０２２は、たとえば、セルラーフォン、スマートフォン、ラップトップ、ハンドヘルド通信デバイス、ハンドヘルドコンピューティングデバイス、衛星無線、全地球測位システム、ＰＤＡ、および／またはワイヤレス通信システム１０００を介して通信するための他の適切なデバイスであり得る。図示のように、モバイルデバイス１０１６は、アンテナ１０１２および１０１４と通信しており、アンテナ１０１２および１０１４は、順方向リンク１０１８を介して情報をモバイルデバイス１０１６に送信し、逆方向リンク１０２０を介してモバイルデバイス１０１６から情報を受信する。さらに、モバイルデバイス１０２２は、アンテナ１００４および１００６と通信しており、アンテナ１００４および１００６は、順方向リンク１０２４を介して情報をモバイルデバイス１０２２に送信し、逆方向リンク１０２６を介してモバイルデバイス１０２２から情報を受信する。周波数分割複信（ＦＤＤ）システムでは、たとえば、順方向リンク１０１８は、逆方向リンク１０２０によって使用される周波数帯域とは異なる周波数帯域を利用し、順方向リンク１０２４は、逆方向リンク１０２６によって採用される周波数帯域とは異なる周波数帯域を採用することができる。さらに、時分割複信（ＴＤＤ）システムでは、順方向リンク１０１８および逆方向リンク１０２０は共通の周波数帯域を利用し、順方向リンク１０２４および逆方向リンク１０２６は共通の周波数帯域を利用することができる。
【００８４】
[0094]  アンテナの各グループおよび／またはそれらが通信するように指定されたエリアは、基地局１００２のセクタと呼ばれることがある。たとえば、基地局１００２によってカバーされるエリアのセクタ中のモバイルデバイスに通信するようにアンテナグループを設計することができる。順方向リンク１０１８および１０２４を介した通信では、基地局１００２の送信アンテナは、モバイルデバイス１０１６および１０２２についての順方向リンク１０１８および１０２４の信号対雑音比を向上させるためにビームフォーミングを利用することができる。また、基地局１００２が、関連するカバレージ中に不規則に散在するモバイルデバイス１０１６および１０２２に送信するためにビームフォーミングを利用する間は、基地局が単一のアンテナを介してその基地局のすべてのモバイルデバイスに送信する場合と比較して、隣接セル内のモバイルデバイスは干渉を受けにくい（subject to less interference）ことがある。さらに、モバイルデバイス１０１６および１０２２は、図示のようにピアツーピアまたはアドホック技術を使用して互いに直接通信することができる。一例によれば、システム１０００は、多入力多出力（ＭＩＭＯ）通信システム、または基地局１００２およびモバイルデバイス１０１６および／または１０２２との間に複数のキャリアを割り当てることを可能にする同様のシステムであり得る。たとえば、基地局１００２は、装置３００に対応することができ、モバイルデバイス１０１６および１０２２は、装置２００に対応することができ、したがって、基地局１００２からの信号をその上で測定すべきリソースを（たとえば、受信したＲＲＰなどに基づいて）判断することができる。
【００８５】
[0095]  図１１に、例示的なワイヤレス通信システム１１００を示す。ワイヤレス通信システム１１００には、簡潔のために、１つの基地局１１１０と、１つのモバイルデバイス１１５０とを示してある。ただし、システム１１００は、２つ以上の基地局および／または２つ以上のモバイルデバイスを含むことができ、追加の基地局および／またはモバイルデバイスは、以下で説明する例示的な基地局１１１０およびモバイルデバイス１１５０と実質的に同様または異なるものであり得ることを諒解されたい。さらに、基地局１１１０および／またはモバイルデバイス１１５０は、それらの間のワイヤレス通信を可能にするために、本明細書で説明するシステム（図１〜図３、図９、および図１０）、サブフレーム構成（図４）、方法（図５〜図７）、ならびに／あるいはモバイルデバイス（図８）を採用することができることを諒解されたい。たとえば、本明細書で説明するシステムおよび／または方法の構成要素または機能は、以下で説明するメモリ１１３２および／または１１７２あるいはプロセッサ１１３０および／または１１７０の一部であり得、ならびに／あるいは開示する機能を実行するためにプロセッサ１１３０および／または１１７０によって実行され得る。
【００８６】
[0096]  基地局１１１０において、いくつかのデータストリームのトラフィックデータがデータソース１１１２から送信（ＴＸ）データプロセッサ１１１４に与えられる。一例によれば、各データストリームはそれぞれのアンテナを介して送信され得る。ＴＸデータプロセッサ１１１４は、トラフィックデータストリーム用に選択された特定のコーディング方式に基づいてそのデータストリームをフォーマットし、コーディングし、インタリーブして、コード化データを与える。
【００８７】
[0097]  各データストリームのコード化データは、直交周波数分割多重化（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１１５０において使用され得る。各データストリームの多重化されたパイロットおよびコード化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、コーディング、および変調は、プロセッサ１１３０によって実行または与えられる命令によって判断され得る。
【００８８】
[0098]  データストリームの変調シンボルはＴＸ  ＭＩＭＯプロセッサ１１２０に与えられ得、ＴＸ  ＭＩＭＯプロセッサ１１２０は（たとえば、ＯＦＤＭ用に）変調シンボルをさらに処理することができる。次いで、ＴＸ  ＭＩＭＯプロセッサ１１２０は、ＮT個の変調シンボルストリームをＮT個の送信機（ＴＭＴＲ）１１２２ａ〜１１２２ｔに与える。様々な実施形態では、ＴＸ  ＭＩＭＯプロセッサ１１２０は、データストリームのシンボルと、そのシンボルの送信元のアンテナとにビームフォーミング重みを適用する。
【００８９】
[0099]  各送信機１１２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介した送信に適した変調信号を与える。さらに、送信機１１２２ａ〜１１２２ｔからのＮT個の変調信号は、それぞれ、ＮT個のアンテナ１１２４ａ〜１１２４ｔから送信される。
【００９０】
[00100]  モバイルデバイス１１５０では、送信された変調信号はＮR個のアンテナ１１５２ａ〜１１５２ｒによって受信され、各アンテナ１１５２からの受信信号は、それぞれの受信機（ＲＣＶＲ）１１５４ａ〜１１５４ｒに与えられる。各受信機１１５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９１】
[00101]  ＲＸデータプロセッサ１１６０は、特定の受信機処理技法に基づいてＮR個の受信機１１５４からＮR個の受信シンボルストリームを受信し、処理して、ＮT個の「検出」シンボルストリームを与えることができる。ＲＸデータプロセッサ１１６０は、各検出シンボルストリームを復調し、デインターリーブし、復号して、データストリームのトラフィックデータを復元することができる。ＲＸデータプロセッサ１１６０による処理は、基地局１１１０においてＴＸ  ＭＩＭＯプロセッサ１１２０およびＴＸデータプロセッサ１１１４によって実行される処理を補足するものである。
【００９２】
[00102]  逆方向リンクメッセージは、通信リンクおよび／または受信データストリームに関する様々なタイプの情報を備えることができる。逆方向リンクメッセージは、データソース１１３６からいくつかのデータストリームのトラフィックデータをも受信するＴＸデータプロセッサ１１３８によって処理され、変調器１１８０によって変調され、送信機１１５４ａ〜１１５４ｒによって調整され、基地局１１１０に戻される。
【００９３】
[00103]  基地局１１１０において、モバイルデバイス１１５０からの変調信号は、アンテナ１１２４によって受信され、受信機１１２２によって調整され、復調器１１４０によって復調され、ＲＸデータプロセッサ１１４２によって処理されて、モバイルデバイス１１５０によって送信された逆方向リンクメッセージが抽出される。さらに、プロセッサ１１３０は、抽出されたメッセージを処理して、ビームフォーミング重みを判断するためにどのプリコーディング行列を使用すべきかを判断することができる。
【００９４】
[00104]  プロセッサ１１３０および１１７０は、それぞれ基地局１１１０およびモバイルデバイス１１５０における動作を指示（たとえば、制御、調整、管理など）することができる。それぞれのプロセッサ１１３０および１１７０は、プログラムコードおよびデータを記憶するメモリ１１３２および１１７２に関連付けられ得る。さらに、プロセッサ１１３０および１１７０は、基地局からの信号をその上で測定すべきリソースのセットを判断すること、ＲＲＰを生成または利用することなどができる。
【００９５】
[00105]  本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、汎用プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【００９６】
[00106]  １つまたは複数の態様では、説明した機能、方法、またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、コンピュータ記憶媒体と、ある場所から別の場所へのコンピュータプログラムの転送を可能にする任意の媒体を含む通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００９７】
[00107]  上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2013545399.tif 000003
【図２】
2013545399.tif 000004
【図３】
2013545399.tif 000005
【図４】
2013545399.tif 000006
【図５】
2013545399.tif 000007
【図６】
2013545399.tif 000008
【図７】
2013545399.tif 000009
【図８】
2013545399.tif 000010
【図９】
2013545399.tif 000011
【図１０】
2013545399.tif 000012
【図１１】
2013545399.tif 000013
【国際調査報告】
2013545399.tif 000014
2013545399.tif 000015